(57)【要約】【課題】  本発明は、着脱操作が容易なマスクを備えるヘルメットを提供することを課題とする。【解決手段】  ヘルメットの前部に、帽体１１の側部１１ｂに取付けた回動支持部材１２を支点として、開閉部材１３を上下開閉可能に取付け、この開閉部材１３に複数の弾性体１４を介してマスク１５を取付ける。すなわち、帽体１１の前部を開閉可能にする開閉部材１３を備えたヘルメット１０において、この開閉部材１３に、ヘルメット装着者２４の鼻  と口  とを覆うマスク１５を取付けた。そして、このマスク１５は、開閉部材１３に、弾性体１４を介して取付けた。【選択図】      図１
2006037271.tif 000002
【特許請求の範囲】
【請求項１】
帽体の前部を開閉可能にする開閉部材を備えたヘルメットにおいて、
前記開閉部材に、前記ヘルメット装着者の鼻と口とを覆うマスクを取付けたことを特徴とするヘルメット。
【請求項２】
前記マスクは、前記開閉部材に、弾性体を介して取付けたことを特徴とする請求項１記載のヘルメット。
【請求項３】
前記開閉部材と前記マスクとの間に、前記マスクの取付け位置を調整する位置調整機構を介在させたことを特徴とする請求項１記載のヘルメット。
【請求項４】
前記開閉部材は、風よけのためのシールド板であることを特徴とする請求項１記載のヘルメット。
【請求項５】
前記開閉部材に、装着者の顎部を覆う覆顎部を備え、この覆顎部に前記マスクを取付けたことを特徴とする請求項１記載のヘルメット。
【発明の詳細な説明】
【技術分野】
【０００１】
本発明は、帽体の前部を開閉可能にする開閉部材と、この開閉部材に装着者の鼻と口とを覆うマスクを取付けたヘルメットに関する。
【背景技術】
【０００２】
従来、帽体の前部の窓穴下部に覆顎部を備え、この覆顎部にマスクを着脱可能に取付けたヘルメットが知られている（例えば、特許文献１参照。）。
【特許文献１】実公平１−３９６９０号公報（第１図）
【０００３】
特許文献１の第１図は、ヘルメットの縦断断面図である。
このヘルメットは、シェル体３（符号は同公報のものを流用する。以下同じ。）と衝撃吸収ライナー４とからなる帽体２と、この帽体２の前部に開けた窓穴５と、この窓穴５の下部に備える覆顎部２ａとを備えるヘルメットである。そして、覆顎部２ａの内壁からクッション台８及びファスナ９を介してマスク１０を着脱可能に取付けたものである。
【０００４】
しかし、マスク１０は、覆顎部２ａに取付けたものであり、装着者Ｕがヘルメットをかぶるときに、マスク１０を覆顎部２ａと顔との狭い隙間に納めるため、マスク１０をずらしたり変形させるなどしながら、所定の位置まで動かす必要があり、ヘルメットの着脱の容易性に課題が残る。
【発明の開示】
【発明が解決しようとする課題】
【０００５】
そこで、本発明は、着脱操作が容易なマスクを備えるヘルメットを提供することを課題とする。
【課題を解決するための手段】
【０００６】
請求項１に係る発明は、帽体の前部を開閉可能にする開閉部材を備えたヘルメットにおいて、開閉部材に、ヘルメット装着者の鼻と口とを覆うマスクを取付けたことを特徴とする。
【０００７】
請求項２に係る発明は、マスクは、開閉部材に、弾性体を介して取付けたことを特徴とする。
【０００８】
請求項３に係る発明は、開閉部材とマスクとの間に、マスクの取付け位置を調整する位置調整機構を介在させたことを特徴とする。
【０００９】
請求項４に係る発明は、開閉部材は、風よけのためのシールド板であることを特徴とする。
【００１０】
請求項５に係る発明は、開閉部材に、装着者の顎部を覆う覆顎部を備え、この覆顎部に前記マスクを取付けたことを特徴とする。
【発明の効果】
【００１１】
請求項１に係る発明では、開閉部材にマスクを取付けた。
ヘルメット装着者は、開閉部材を開いた状態で、ヘルメットを着脱すれば良い。マスクは開閉部材に付属するため、ヘルメットの着脱の際に邪魔になることはない。
従って、請求項１によれば、ヘルメットにマスクを常備したにもかかわらず、ヘルメットの着脱は容易になるという利点がある。
【００１２】
請求項２に係る発明では、マスクは、開閉部材に、弾性体を介して取付けたので、マスクの位置を柔軟に調整できると共に、装着者の体にマスクを密着させることができ、シール性を高めて埃除去性能を向上させることができる。
加えて、好ましい装着感を得ることができる。
【００１３】
請求項３に係る発明では、開閉部材とマスクとの間に、マスクの取付け位置を調整する位置調整機構を介在させたので、装着者の顔の大きさに合わせた位置調整が可能となる。
この結果、装着者の顔に合わせマスクをさらに密着させることができるという利点がある。
【００１４】
請求項４に係る発明では、開閉部材は、風よけのためのシールド板とした。ヘルメットの既設部品であるシールド板を流用し、このシールド板を開閉することにより、マスクの脱着を容易に行うことができる。
【００１５】
請求項５に係る発明では、開閉部材は、顎部を覆う覆顎部を備えるものとした。ヘルメットの既設部位である覆顎部を流用し、この覆顎部を開閉することにより、マスクの着脱を容易に行うことができる。
【発明を実施するための最良の形態】
【００１６】
本発明を実施するための最良の形態を添付図に基づいて以下に説明する。なお、図面は符号の向きに見るものとする。
図１は本発明に係るヘルメットの側部断面図であり、このヘルメット１０は、帽体１１と、この帽体１１の前部１１ａが開いた、いわゆるジェット型タイプと呼ばれるヘルメットである。この前部１１ａに、帽体１１の側部１１ｂに取付けた回動支持部材１２を支点として、開閉部材１３を上下開閉可能に取付け、この開閉部材１３に複数の弾性体１４を介してマスク１５を取付けるというものである。弾性体１４についての詳細は後述する。
【００１７】
マスク１５は、フレーム部材１６と、このフレーム部材１６の内側に取付けるマスク本体１７と、このマスク本体１７の内側に貼付け又は配置するフィルター機能を有するインナー部材１８とからなる部材である。なお、インナー部材１８は、着脱可能であり、用途により省略する場合もある。
【００１８】
マスク本体１７は、本実施例では、成形された布であるが、この他に、成形された紙、皮革、合成皮革、発泡樹脂などでも差し支えないものとする。
フレーム部材１６は、アルミニウムなどの金属製でも良い。また、樹脂製でも良く材質は任意である。
【００１９】
なお、帽体１１は外側から内側に向け、順に、シェル体２１と、衝撃吸収ライナー２２と、内装パット２３とからなる部材であり、装着者２４の頭部にかかる衝撃を和らげるという機能を有する。
【００２０】
すなわち、このヘルメット１０は、帽体１１の前部１１ａを開閉可能にする開閉部材１３を備え、この開閉部材１３に、ヘルメット装着者２４の鼻２４ａと口２４ｂとを覆うマスク１５を取付けた。そして、このマスク１５は、開閉部材１３に、弾性体１４を介して取付けたことを特徴とする。
【００２１】
マスク１５は、開閉部材１３に、弾性体１４を介して取付けた。
装着者２４の動きに合わせ、マスク１５の位置を柔軟に動かすことにより、装着者２４の顔にマスク１５を密着させることができ、シール性を高めて埃除去性能を向上させることができる。加えて、好ましい装着感を得ることができる。
【００２２】
なお、装着者２４の動きに合わせて、マスク１５の位置を柔軟に動かせるようにするため、マスク１５の材質、構造、及び弾性体１４の弾性率などは、試験により所定の値を決めるものとする。
【００２３】
さらに、開閉部材１３は、風よけのためのシールド板２６である。
開閉部材１３は、風よけのためのシールド板２６であるため、シールド板２６の開閉は容易である。ヘルメット１０の既設部品であるシールド板２６を流用し、このシールド板２６を開閉することにより、マスク１５の脱着をすることができる。
【００２４】
図２は本発明に係るヘルメットの正面図であり、開閉部材１３であるシールド板２６に、複数の弾性体１４を介してマスク１５を取付けることを示す。
透明のシールド板２６を通して、弾性体１４、マスク１５のフレーム部材１６、マスクの本体１７をみることができる。
【００２５】
図３は本発明に係る弾性体をシールド板に取付けることを説明した図である。
先ず、弾性体１４の構造を説明すると、この弾性体１４は、両端部３１に、開閉部材１３又はマスク１５のフレーム部材１６を取付け可能な取付け部３２を有し、中央部３３に蛇腹状であり伸縮可能に形成した伸縮部３４とを有する部品である。両端部３１の取付け部３２は、開閉部材１３に対するマスク１５の位置、すなわち図の前後方向の位置を最適に配置するため、複数の凹凸部からなる段付き構造とする。
【００２６】
伸縮部３４の内側は、弾性体１４を伸縮容易とするために、中空部３５を備える。本実施例の弾性体１４では、中空部３５を備えたが、この中空部３５は省略することは差し支えない。
なお、本実施例において、弾性体の材質は、ラバー製としたが、樹脂製あるいは金属製でも良く、その材質はラバー製に限定されない。
【００２７】
次に、弾性体１４の取付け部３２の位置を変更することにより、装着者の顔に合わせ、顔にマスク１５の位置を密着させることができることを説明する。
（ａ）は、シールド板２６とマスク１５との距離を最も延ばしたたことを示す。
（ｂ）は、シールド板２６とマスク１５との距離を最も縮ぢめたことを示す。
【００２８】
このように、シールド板２６への弾性体１４に備える取付け部３２の位置を適宜調整することにより、装着者の顔にマスク１５をフィットさせることができる。
なお、本実施例においては、蛇腹の凹凸を前記段付き構造として活用しているが、この蛇腹部とは別に調整溝としての取付け部を設けるものであっても良い。
【００２９】
図４は本発明に係るシールド板の正面図であり、シールド板２６と、このシールド板２６に取付けたマスク１５を示す。
シールド板２６には、３つの弾性体１４を取付ける穴３７を３箇所設ける。それぞれの穴３７には、３つの穴３７ａ、３７ｂ、３７ｃを設け、３７ａ〜３７ｃの間でこのうちのどれかを選択して容易に位置調整できるように、これらの穴３７ａ、３７ｂ、３７ｃ同士をつないだ。
【００３０】
図２に戻って、このような３つの穴３７ａ、３７ｂ、３７ｃにマスク１５の上下位置調整機能を設けたので、ヘルメット装着者の顔の大きさ、鼻、口の大きさ、及びこれらの位置関係などの個人差を考慮して、マスク１５の位置を上下方向に調整して、マスク１５を装着者の顔に合わせた最適な位置に配置することができる。
【００３１】
すなわち、開閉部材１３とマスク１５との間に、マスク１５の取付け位置を調整する上下及び前後の位置調整機構４１を介在させたことを特徴とする。
開閉部材１３とマスク１５との間に、マスク１５の取付け位置を調整する位置調整機構４１を介在させたので、装着者２４の顔の大きさなどに合わせた位置調整が可能となる。
この結果、装着者２４の顔に合わせマスク１５をさらに密着させることができる。
【００３２】
図５はマスクを外した状態を示す作用図であり、装着者２４はヘルメット１０を被ったままで、開閉部材１３であるシールド板２６を持ち上げることで、極めて容易にマスクを外すことができる。
【００３３】
ヘルメット装着者は、開閉部材を開いた状態で、ヘルメット１０を着脱すれば良い。マスク１５は開閉部材１３に付属するため、ヘルメット１０の着脱の際に邪魔になることはない。
従って、請求項１によれば、ヘルメットにマスクを常備したにもかかわらず、ヘルメットの着脱は容易になる。
すなわち、開閉部材１３にマスク１５を取付けたので、マスク１５は、開閉部材１３の動きに伴い動くので、マスク１５の着脱を容易に行うことができる。
【００３４】
図６は図１の別実施例図であり、装着者の顎部２４ｃを覆う覆顎部４３を有する、いわゆるフルフェース型と呼ばれるヘルメットに、本発明を適用することを示す。
開閉部材１３Ｂとなるシールド板２６Ｂと一体で覆顎部４３を備え、この覆顎部４３から弾性体１４Ｂを介してマスク１５Ｂを取付ける。
すなわち、開閉部材１３Ｂに、装着者２４Ｂの顎部２４ｃを覆う覆顎部４３を備え、この覆顎部４３にマスク１５Ｂを取付けたことを特徴とする。
【００３５】
図７は図５の別実施例図であり、装着者２４Ｂがマスク１５Ｂを外したことを示す。
開閉部材１３Ｂは、顎部を覆う覆顎部４３を備えるものとした。ヘルメット１０Ｂの既設部位である覆顎部４３を流用し、この覆顎部４３を開閉することにより、マスク１５Ｂの着脱を容易に行うことができる。
開閉部材１３Ｂに、覆顎部４３を備えたので、覆顎部４３の開閉を容易に行うことができる。この覆顎部４３にマスク１５Ｂを取付けることで、マスク１５Ｂの着脱を容易に行うことができる。
【００３６】
図８は図１のさらなる別実施例図であり、装着者の顎部２４ｃを覆う覆顎部４３を有するヘルメットに本発明を適用する。覆顎部４３に弾性体１４Ｃを介してマスク１５Ｃを取付けるというものであり、開閉部材１３Ｃは、装着者の顎部を覆う覆顎部４３を備えるものとした。装着者は、必要があれば図示せぬゴーグルを着用しても良い。
【００３７】
図９は図５のさらなる別実施例図であり、装着者２４Ｃがマスク１５Ｃを外した状態である。開閉部材１３Ｃは、顎部を覆う覆顎部４３を備えるものとした。覆顎部４３の開閉は容易であり、覆顎部４３を開閉することにより、マスク１５Ｃの着脱を行うことができる。
従って、この覆顎部４３にマスク１５Ｃを取付けることで、マスク１５Ｃの着脱を容易に行うことができる。
【００３８】
尚、請求項１において、開閉部材へのマスクの取付けは、弾性材を介さなくても差し支えない。例えば、弾性部材でない樹脂材や、アルミニウム、チタンなどの軽金属、木材、紙、などでも良いものとする。位置調整機構は、介在させるかどうかは任意である。
請求項２において、位置調整機構は、介在させても介在させなくても良いものとする。
【００３９】
加えて、本発明のヘルメットは、実施の形態では自動二輪車用のヘルメットであるが、人命救助用ヘルメットや一般作業用ヘルメットに利用することは差し支えない。
【産業上の利用可能性】
【００４０】
本発明のヘルメットは、二輪車用として好適である。
【図面の簡単な説明】
【００４１】
【図１】本発明に係るヘルメットの側部断面図である。
【図２】本発明に係るヘルメットの正面図である。
【図３】本発明に係る弾性体をシールド板に取付けることを説明した図である。
【図４】本発明に係るシールド板の正面図である。
【図５】マスクを外した状態を示す作用図である。
【図６】図１の別実施例図である。
【図７】図５の別実施例図である。
【図８】図１のさらなる別実施例図である。
【図９】図５のさらなる別実施例図である。
【符号の説明】
【００４２】
１０、１０Ｂ、１０Ｃ…ヘルメット、１１…帽体、１１ａ…帽体の前部、１３、１３Ｂ、１３Ｃ…開閉部材、１４、１４Ｂ、１４Ｃ…弾性体、１５、１５Ｂ、１５Ｃ…マスク、２４、２４Ｂ、２４Ｃ…装着者、２４ａ…装着者の鼻、２４ｂ…装着者の口、２４ｃ…装着者の顎部、２６、２６Ｂ…シールド板、４１…位置調整機構、４３…覆顎部。
【図１】
2006037271.tif 000003
【図２】
2006037271.tif 000004
【図３】
2006037271.tif 000005
【図４】
2006037271.tif 000006
【図５】
2006037271.tif 000007
【図６】
2006037271.tif 000008
【図７】
2006037271.tif 000009
【図８】
2006037271.tif 000010
【図９】
2006037271.tif 000011